(57)【要約】【課題】ヒューズ回路構成体の外径寸法をほとんど拡大することなく温度上昇を確実に低減させることができるヒュージブルリンクユニットを提供する。【解決手段】連結プレート部５に各可溶体部６を介して連結される複数の端子部７，８が連鎖状に形成されると共に、該連結プレート部５にバッテリ用端子部９及びオルタネータ用端子部２０がそれぞれ連結されたヒューズ回路構成体２を有し、このヒューズ回路構成体２がハウジングに装着されるヒュージブルリンクユニットにおいて、連結プレート部５の長手方向の両端にバッテリ用端子部９及びオルタネータ用端子部２０をそれぞれ形成した。【選択図】      図８
2004213906.tif 000002
【特許請求の範囲】
【請求項１】
連結プレート部に各可溶体部を介して連結される複数の端子部が連鎖状に形成されると共に、該連結プレート部にバッテリ用端子部とオルタネータ用端子部がそれぞれ連結されたヒューズ回路構成体を有し、このヒューズ回路構成体がハウジングに装着されるヒュージブルリンクユニットにおいて、
前記連結プレート部の離れた位置に前記バッテリ用端子部と前記オルタネータ用端子部をそれぞれ形成したことを特徴とするヒュージブルリンクユニット。
【請求項２】
請求項１記載のヒュージブルリンクユニットであって、
前記連結プレート部の長手方向の両端に前記バッテリ用端子部と前記オルタネータ用端子部をそれぞれ形成したことを特徴とするヒュージブルリンクユニット。
【発明の詳細な説明】
【０００１】
【発明の属する技術分野】
本発明は、各可溶体部を介した端子部が連鎖状に連結されるヒューズ回路構成体を有した連鎖型大電流用のヒュージブルリンクユニットに関する。
【０００２】
【従来の技術】
この種の従来のヒュージブルリンクユニットとして図１２に示すものがある。このヒュージブルリンクユニット１００は、図１２に示すように、ヒューズ回路構成体１０１と、このヒューズ回路構成体１０１が組み込まれるハウジング１０２とを備えている。
【０００３】
ヒューズ回路構成体１０１は、連結プレート部１０３と、この連結プレート部１０３に各可溶体部１０４を介して連結された複数の端子部１０５ａ，１０５ｂと、連結プレート部１０３の一端に延設されたバッテリ用端子部１０６と、連結プレート部１０３の一端のバッテリ用端子部１０６より内側に可溶体部１０７を介して連結された共通端子部１０８とを有し、図示しない導電性を有する平板状のプレート材のプレス加工により形成される。この共通端子部１０８には、図示しない第２のヒューズ回路構成体の連結プレート部の一端側より延設された共通端子部が重ね合わされてオルタネータ用端子部１０９が形成される。
【０００４】
そして、ヒューズ回路構成体１０１及び第２のヒューズ回路構成体がハウジング１０２の図示しない回路体収容室に完全に挿入されると、ヒューズ回路構成体１０１及び第２のヒューズ回路構成体の各連結プレート部１０３が回路体収容室に配置されると共に、各端子部１０５ａ，１０５ｂがハウジング１０２内の所定位置にセットされる。次に、ヒューズ回路構成体１０１及び第２のヒューズ回路構成体の互いの共通端子部１０８を図示しないボルトでハウジング１０２に共締めすることによってヒューズ回路構成体１０１と第２のヒューズ回路構成体が電気的に接続され、ヒューズ回路構成体１０１及び第２のヒューズ回路構成体によって所望のヒューズ回路が構成される。
【０００５】
また、バッテリ用端子部１０６も図示しないボルトによってハウジング１０２に締結する。このバッテリ用端子部１０６には図示しないバッテリ用ケーブルの端子が、ハウジング１０２内の各端子部１０５ａには図示しない相手側コネクタの各端子が、各端子部１０５ｂにはビス止めで図示しないＬＡ端子がそれぞれ接続される。これら相手側コネクタの各端子及び各ＬＡ端子はケーブルを介して各負荷にそれぞれ接続され、これら各負荷にバッテリからの電源がヒューズ回路を介して分配供給される。そして、負荷側の短絡事故などによって各可溶体部１０４に所定以上の電流が通電されると、各可溶体部１０４が発熱によって溶断し、過電流に基づく事故が防止される。
【０００６】
【特許文献１】
特開２０００−１３３１１４号公報
【０００７】
【発明が解決しようとする課題】
しかしながら、前記従来のヒュージブルリンクユニット１００では、ヒューズ回路構成体１０１の連結プレート部１０３の一端側にバッテリ用端子部１０６とオルタネータ用端子部１０９が近接して形成されているため、各端子部１０６，１０９を介して通電されると、連結プレート部１０３では通電による温度上昇が大きくなり、各端子部１０５ａ，１０５ｂが発熱してヒュージブルリンクユニット１００に悪影響を及ぼした。
【０００８】
ここで、前記温度上昇を低減するには連結プレート部１０３の面積を大きくすれば良いが、ハウジング１０２のコンパクト化のためにはヒューズ回路構成体１０１の外径寸法は極力小さく形成することが望ましく、ヒューズ回路構成体１０１の外径寸法を大きくすることは避けたい。
【０００９】
そこで、本発明は、前記した課題を解決すべくなされたものであり、ヒューズ回路構成体の外径寸法をほとんど拡大することなく温度上昇を確実に低減させることができるヒュージブルリンクユニットを提供することを目的とする。
【００１０】
【課題を解決するための手段】
請求項１の発明は、連結プレート部に各可溶体部を介して連結される複数の端子部が連鎖状に形成されると共に、該連結プレート部にバッテリ用端子部とオルタネータ用端子部がそれぞれ連結されたヒューズ回路構成体を有し、このヒューズ回路構成体がハウジングに装着されるヒュージブルリンクユニットにおいて、前記連結プレート部の離れた位置に前記バッテリ用端子部と前記オルタネータ用端子部をそれぞれ形成したことを特徴とする。
【００１１】
このヒュージブルリンクユニットでは、連結プレート部の離れた位置にバッテリ用端子部とオルタネータ用端子部をそれぞれ形成したので、バッテリ用端子部とオルタネータ用端子部から連結プレート部に流れる電流が分流され、連結プレート部の発熱が低く抑えられる。これにより、ヒューズ回路構成体の外径寸法をほとんど拡大することなく連結プレート部の温度上昇が確実に低減される。
【００１２】
請求項２の発明は、請求項１記載のヒュージブルリンクユニットであって、前記連結プレート部の長手方向の両端に前記バッテリ用端子部と前記オルタネータ用端子部をそれぞれ形成したことを特徴とする。
【００１３】
このヒュージブルリンクユニットでは、連結プレート部の長手方向の両端にバッテリ用端子部とオルタネータ用端子部をそれぞれ形成したので、連結プレート部の温度上昇がより有効かつ確実に低減される。
【００１４】
【発明の実施の形態】
以下、本発明の一実施形態を図面に基づいて説明する。
【００１５】
図１〜図１１は本発明の一実施形態を示し、図１は連鎖型大電流用のヒュージブルリンクユニットの斜視図、図２はその分解斜視図、図３はその平面図、図４はその正面図、図５は図３中Ａ−Ａ線に沿う断面図、図６は図３中Ｂ−Ｂ線に沿う断面図、図７は図３中Ｄ−Ｄ線に沿う断面図、図８は第１ヒューズ回路構成体の正面図、図９は第２ヒューズ回路構成体の正面図、図１０は図９中Ｆ−Ｆ線に沿う断面図、図１１は第１及び第２ヒューズ回路構成体が形成するヒューズ回路図である。
【００１６】
図１〜図８に示すように、ヒュージブルリンクユニット１は、ブスバーである第１ヒューズ回路構成体２と、同じくブスバーである第２ヒューズ回路構成体３と、これらヒューズ回路構成体２，３が互いに所定の間隔を開けて組み込まれる合成樹脂製のハウジング４とを備えている。
【００１７】
図８に示すように、第１ヒューズ回路構成体２は、細長い長方形状の連結プレート部５と、この連結プレート部５の短手方向に各可溶体部６を介して連鎖状に連結された複数の雌端子部（端子部）７と、連結用プレート部５の短手方向に各可溶体部６を介して連鎖状に連結された複数のビス止め用端子部（端子部）８と、連結プレート部５の短手方向に可溶体部を介さずに直接連結された１つのバッテリ用端子部９と、連結プレート部５の長手方向にオルタネータ回路用可溶体部１０を介して連結された差し込み係止部１１とを有し、図示しない導電性で平板状のプレート材をプレス加工することにより一体に形成されている。
【００１８】
各可溶体部６は細幅でクランク状を有し、そのクランク形状の途中に低融点金属が加締め固定されるものであり、それぞれに所定値以上の電流が通電されると溶断されるようになっている。また、オルタネータ回路用可溶体部１０は細長でストレート状またはＳ字状やＶ字状の形状になっている。連結プレート部５と各ビス止め用端子部８との間に介在された各可溶体部６は、連結プレート部５の平面方向に対して傾斜されることなく同一平面状に配置されている。
【００１９】
複数の雌端子部７と複数のビス止め用端子部８は、隣接するもの同士が間隔を置いて連鎖状に配置されている。差し込み係止部１１の一部は垂直方向に折り曲げられ、この折曲部分が共通端子部１２として形成されている。
【００２０】
図９に示すように、第２ヒューズ回路構成体３は、細長い長方形状の連結プレート部１３と、この連結プレート部１３の短手方向に各可溶体部１４を介して連鎖状に連結された複数の雌端子部１５と、連結用プレート部１３の短手方向に各可溶体部１４を介して連鎖状に連結された複数のビス止め用端子部１６と、連結プレート部１３の長手方向に延設された差し込み係止部１７とを有し、図示しない導電性で平板状のプレート材をプレス加工することにより一体に形成されている。
【００２１】
各可溶体部１４は、第１ヒューズ回路構成体２の可溶体部６と同様に、細幅でクランク状を有し、そのクランク形状の途中に低融点金属が加締め固定されるものであり、それぞれに所定値以上の電流が通電されると溶断されるようになっている。連結プレート部１３と各ビス止め用端子部１６との間に介在された各可溶体部１４は、図７及び図１０に示すように、第１ヒューズ回路構成体２のものと同様に、連結プレート部１３の平面方向Ｚに対して傾斜されることなく同一平面状に配置されている。
【００２２】
また、複数の雌端子部１５と複数のビス止め用端子部１６は、第１ヒューズ回路構成体２のものと同様に、隣接するもの同士が間隔を置いて連鎖状に配置されている。差し込み係止部１７の一部は、第１ヒューズ回路構成体２のものと同じく垂直方向に折り曲げられ、この折曲部分が共通端子部１８として形成されている。第１ヒューズ回路構成体２の共通端子部１２と第２ヒューズ回路構成体３の共通端子部１８とは、ハウジング４に装着された状態にあってボルト１９と共に密着され、この双方の共通端子部１２，１８によってオルタネータ用端子部２０が形成される。これにより、図８に示すように、第１ヒューズ回路構成体２の連結プレート部５の長手方向の両端にバッテリ用端子部９とオルタネータ用端子部２０とがそれぞれ形成されるようになっている。
【００２３】
図１〜図７に示すように、ハウジング４は略直方体形状を有し、上方に開口部２５を有する回路体収容室２６が内部に形成されている。回路体収容室２６の下方には複数のコネクタハウジング部２７及び複数の端子支持部２８とが設けられている。このハウジング４の上方には図示しない透明カバーが装着され、この透明カバーによって開口部２５が塞がれるようになっている。
【００２４】
次に、上記ヒュージブルリンクユニット１の組み付けを簡単に説明する。図２に示すように、第１ヒューズ回路構成体２及び第２ヒューズ回路構成体３をその平面方向を挿入方向とし、且つ、複数の雌端子部７，１５等を挿入先端としてハウジング４の開口部２５より回路体収容室２６に挿入する。
【００２５】
そして、第１ヒューズ回路構成体２及び第２ヒューズ回路構成体３が互いに所定の間隔を開けてハウジング４の開口部２５より回路体収容室２６に完全に挿入されると、図５〜図７に示すように、第１及び第２ヒューズ回路構成体２，３の各連結プレート部５，１３が回路体収容室２６に配置されると共に、各端子部７，８，１５，１６がコネクタハウジング部２７内や端子支持部２８の所定位置にセットされる。
【００２６】
また、第１及び第２ヒューズ回路構成体２，３の互いの共通端子部１２，１８はボルト１９と共に密着され、双方の共通端子部１２，１８によってオルタネータ用端子部２０が形成される。このオルタネータ用端子部２０を構成する共通端子部１２，１８を介して第１ヒューズ回路構成体２と第２ヒューズ回路構成体３が電気的に接続されることによって、図１１に示すヒューズ回路が構成される。
【００２７】
次に、バッテリ用端子部９には図示しないバッテリ用ケーブルの端子が、オルタネータ用端子部２０にはボルト１９とナットによってオルタネータ用ケーブルのＬＡ端子（いずれも図示せず）が接続される。また、各コネクタハウジング部２７内の各雌端子部７，１５には相手側コネクタの各雄端子（図示せず）が、端子支持部２８のビス止め用端子部８，１６にはナット部材２９とビス（図示せず）によってＬＡ（丸形）端子３０がそれぞれ接続される。相手側コネクタの各雄端子及び各ＬＡ端子３０はケーブル３１を介して図示しない各負荷にそれぞれ接続される。
【００２８】
上記構成において、各負荷にバッテリやオルタネータからの電源がヒュージブルリンクユニット１のヒューズ回路を介して分配供給される。また、バッテリの電源が少なくなると、オルタネータよりバッテリに電源が供給されることによって充電が行われる。
【００２９】
そして、負荷側の短絡事故などによっていずれかの可溶体部６，１０，１４に所定以上の電流が通電されると、可溶体部６，１０，１４が発熱によって溶断し、過電流に基づく事故が防止される。また、ヒュージブルリンクユニット１の保守・点検等を行う場合には、開口部２５よりハウジング４内を覗くことにより内部の各可溶体部６，１０，１４の状態（溶断の有無等）を確認する。
【００３０】
ところで、第１及び第２ヒューズ回路構成体２，３を介した各負荷への電源分配供給の電流は、第１及び第２ヒューズ回路構成体２，３の連結プレート部５，１３を流れる。この際、第１ヒューズ回路構成体２の連結プレート部５の離れた位置にバッテリ用端子部９とオルタネータ用端子部２０とをそれぞれ形成したので、バッテリ用端子部９とオルタネータ用端子部２０から第１及び第２ヒューズ回路構成体２，３の連結プレート部５，１３に流れる電流が分流され、連結プレート部５，１３の発熱を低く抑えることができる。これにより、第１及び第２ヒューズ回路構成体２，３の外径寸法をほとんど拡大することなく第１及び第２ヒューズ回路構成体２，３の温度上昇を確実に低減させることができる。特に、第１ヒューズ回路構成体２の連結プレート部５の長手方向の両端にバッテリ用端子部９とオルタネータ用端子部２０をそれぞれ形成したので、第１ヒューズ回路構成体２の連結プレート部５の温度上昇をより有効かつ確実に低減させることができる。
【００３１】
尚、前記実施形態によれば、第１及び第２ヒューズ回路構成体２，３の２枚でヒューズ回路を形成したが、ヒューズ回路構成体を１枚のみで形成する場合にも３枚以上で形成する場合にも同様に適用することができることは勿論である。
【００３２】
【発明の効果】
以上説明したように、請求項１の発明によれば、ヒューズ回路構成体の連結プレート部の離れた位置にバッテリ用端子部とオルタネータ用端子部をそれぞれ形成したので、バッテリ用端子部とオルタネータ用端子部から連結プレート部に流れる電流が分流され、連結プレート部の発熱を低く抑えることができる。これにより、ヒューズ回路構成体の外径寸法をほとんど拡大することなく連結プレート部の温度上昇を確実に低減させることができる。
【００３３】
請求項２の発明によれば、連結プレート部の長手方向の両端にバッテリ用端子部とオルタネータ用端子部をそれぞれ形成したので、連結プレート部の温度上昇をより有効かつ確実に低減させることができる。
【図面の簡単な説明】
【図１】本発明の一実施形態を示し、ヒュージブルリンクユニットの斜視図である。
【図２】本発明の一実施形態を示し、ヒュージブルリンクユニットの分解斜視図である。
【図３】本発明の一実施形態を示し、ヒュージブルリンクユニットの平面図である。
【図４】本発明の一実施形態を示し、ヒュージブルリンクユニットの正面図である。
【図５】本発明の一実施形態を示し、図３中Ａ−Ａ線に沿う断面図である。
【図６】本発明の一実施形態を示し、図３中Ｂ−Ｂ線に沿う断面図である。
【図７】本発明の一実施形態を示し、図３中Ｄ−Ｄ線に沿う断面図である。
【図８】本発明の一実施形態を示し、第１ヒューズ回路構成体の正面図である。
【図９】本発明の一実施形態を示し、第２ヒューズ回路構成体の正面図である。
【図１０】本発明の一実施形態を示し、図９中Ｆ−Ｆ線に沿う断面図である。
【図１１】本発明の一実施形態を示し、第１及び第２ヒューズ回路構成体が形成するヒューズ回路図である。
【図１２】従来例のヒューズ回路構成体の正面図である。
【符号の説明】
１  ヒュージブルリンクユニット
２  第１ヒューズ回路構成体（ヒューズ回路構成体）
４  ハウジング
５  連結プレート部
６  可溶体部
７  雌端子部（端子部）
８  ビス止め用端子部（端子部）
９  バッテリ用端子部
２０  オルタネータ用端子部
【図１】
2004213906.tif 000003
【図２】
2004213906.tif 000004
【図３】
2004213906.tif 000005
【図４】
2004213906.tif 000006
【図５】
2004213906.tif 000007
【図６】
2004213906.tif 000008
【図７】
2004213906.tif 000009
【図８】
2004213906.tif 000010
【図９】
2004213906.tif 000011
【図１０】
2004213906.tif 000012
【図１１】
2004213906.tif 000013
【図１２】
2004213906.tif 000014